(57)【特許請求の範囲】
【請求項１】
静止リング体と移動リング体とを備えた綴じ具であって、
前記静止リング体は、長さ方向を有する第１ベース体と、前記第１ベース体から上方に向けて突き出し設けられた第１リング部とを有し、
前記移動リング体は、長さ方向を有する第２ベース体と、前記第２ベース体から上方に向けて突き出し設けられた第２リング部とを有し、長さ方向の手前側及び／又は向こう側に、静止リング体に係止された移動リング体を脱係させるための操作部を形成され、
前記静止リング体の第１リング部及び移動リング体の第２リング部は、その先端にリング部を閉じたとき第１リング部と第２リング部とを第１ベース体の幅方向に離れないように係合して連結されるとともに、リング部を開くとき移動リング体を長さ方向に移動させるように形成された係合部を有し、
前記静止リング体及び移動リング体は、長さ方向に操作部を移動させることにより、移動リング体を脱係させて、長さ方向に初期移動させ且つ長さ方向と交差する方向に移動させるように形成され、前記移動リング体は、移動リング体を長さ方向に初期移動させるためのガイド溝及び第２ベース体の長さ方向と交差するように形成されたガイド溝を形成され、前記静止リング体は、前記ガイド溝の軌跡に沿って案内する案内凸部を形成された、綴じ具。
【請求項２】
静止リング体と移動リング体とを備えた綴じ具であって、
前記静止リング体は、長さ方向を有する第１ベース体と、前記第１ベース体から上方に向けて突き出し設けられた第１リング部とを有し、
前記移動リング体は、長さ方向を有する第２ベース体と、前記第２ベース体から上方に向けて突き出し設けられた第２リング部とを有し、長さ方向の手前側及び／又は向こう側に、静止リング体に係止された移動リング体を脱係させるための操作部を形成され、
前記静止リング体の第１リング部及び移動リング体の第２リング部は、その先端にリング部を閉じたとき第１リング部と第２リング部とを第１ベース体の幅方向に離れないように係合して連結されるとともに、リング部を開くとき移動リング体を長さ方向に移動させるように形成された係合部を有し、
前記静止リング体及び移動リング体は、長さ方向に操作部を移動させることにより、移動リング体を脱係させて、長さ方向に初期移動させ且つ長さ方向と交差する方向に移動させるように、第１ベース体及び第２ベース体のうち、一方に、移動ベース体を開閉するように案内するために、長さ方向に初期移動させるための第１ガイド溝及び長さ方向と交差するように形成された第２ガイド溝を形成され、他方に、前記ガイド溝の軌跡に沿って案内する案内凸部を形成され、
前記案内凸部は、
摺動面の上面より突設され、
ガイド溝より離脱することを防止するためにガイド溝の幅より大きい頭部と、前記頭部の下部に連設され頭部を支持する括れ部とを備え、
括れ部は、第１ガイド溝と対向する平面状で、第１ガイド溝を摺動する第１摺動部と、第２ガイド溝と対向する平面状で、第１ガイド溝と第２ガイド溝との境界を摺動する第２摺動部と、第２ガイド溝と対向する湾曲面状で、第２ガイド溝を摺動する第３摺動部とを備えた、綴じ具。
【請求項３】
静止リング体と移動リング体とを備えた綴じ具であって、
前記静止リング体は、長さ方向を有する第１ベース体と、前記第１ベース体から上方に向けて突き出し設けられた第１リング部とを有し、
前記移動リング体は、長さ方向を有する第２ベース体と、前記第２ベース体から上方に向けて突き出し設けられた第２リング部とを有し、長さ方向の手前側及び／又は向こう側に、静止リング体に係止された移動リング体を脱係させるための操作部を形成され、
前記静止リング体の第１リング部及び移動リング体の第２リング部は、その先端にリング部を閉じたとき第１リング部と第２リング部とを第１ベース体の幅方向に離れないように係合して連結されるとともに、リング部を開くとき移動リング体を長さ方向に移動させるように形成された係合部を有し、
前記静止リング体の第１ベース体の上面には、第１嵌合部が形成され、且つ前記移動リング体の第２ベース体の背面には、第２嵌合部が形成され、前記第１嵌合部と第２嵌合部とはリング部を閉じたときに嵌合し、移動リング体を初期移動させたときに外れるように形成され、
前記静止リング体及び移動リング体は、長さ方向に操作部を移動させることにより、移動リング体を脱係させて、長さ方向に初期移動させ且つ長さ方向と交差する方向に移動させるように形成された、綴じ具。
【請求項４】
移動リング体は、移動リング体を長さ方向に初期移動させるための第１ガイド溝と、第２ベース体の長さ方向と交差するように形成された第２ガイド溝とを備えた、請求項２に記載の綴じ具。
【請求項５】
静止リング体及び／又は移動リング体は、更に、長さ方向と交差する方向への移動を静止する移動静止部を形成された、請求項１ないし４のいずれかに記載の綴じ具。
【請求項６】
前記移動静止部は、リング部を閉じたときにおける第１移動静止部と、リング部を開いたときにおける第２移動静止部とを備える、請求項５に記載の綴じ具。
【請求項７】
前記静止リング体は、長さ方向の手前側及び／又は向こう側に、静止リング体に係止された移動リング体を脱係させるための操作部を形成され、
前記移動リング体の操作部と静止リング体の操作部とを指先でつまんで、移動リング体を向こう側及び／又は手前側に移動させるように捩ることにより、静止リング体に係止された移動リング体を脱係させるように構成された、請求項１ないし６のいずれかに記載の綴じ具。
【請求項８】
前記操作部は、前記移動リング体の長さ方向を有する第２ベース体における長さ方向の手前側及び／又は向こう側に、静止リング体に移動リング体を係止又は脱係させるためのレバー部を形成して構成された、請求項１ないし６のいずれかに記載の綴じ具。
【請求項９】
請求項１ないし３のいずれかに記載の綴じ具の静止リング体が、表紙に固定された、ファイル。
【発明の詳細な説明】
【技術分野】
【０００１】
この発明は、綴じ具及びファイルに関し、特に、例えば、綴じ具及びファイル用表紙に綴じ具が固定されたファイルに関する。
【背景技術】
【０００２】
現在、多数の綴じ孔を有する用箋等を綴じるためのファイルの綴じ具として、特開平１０−５８８８３号公報に開示されたようなものが提案されている。
この綴じ具は、バインダカバーに固定された複数の第１バインダループセグメントに対し、複数の第２バインダループセグメントを分離あるいは合体させることにより用紙を出し入れあるいは保持するようにしたバインダ綴具において、上記バインダカバーに固定されるベースと、該ベースにスライド自在に取り付けられるスライダの二つの部品で上記バインダ綴具を構成し、上記第１バインダループセグメントを上記ベースに一体的に形成する一方、上記第２バインダループセグメントを上記スライダに一体的に形成し、上記スライダを上記ベースに対し斜めに平行移動させることにより上記第１及び第２バインダループセグメントの分離及び合体を行うようにしたことを特徴とするバインダ綴具である。
【０００３】
【特許文献１】特開平１０−５８８８３号公報
【発明の開示】
【発明が解決しようとする課題】
【０００４】
従来の綴じ具は、ベースのノブとスライダのノブとを操作して、スライダを斜め下方に押圧すると、スライドガイドの首部が、スライドガイド溝に沿ってスライドし、スライドガイド溝の下方に形成された突起に当接する。スライダをさらに斜め下方に押圧すると、スライドガイドの首部２が突起を乗り越えてスライドガイド保持孔に保持されるとともに、スライダに形成された突起がベースに形成された突起を乗り越えて互いに嵌合する。
このようにして、スライダはベースに固定されるが、スライダをベースに合体して固定するときに要する力とスライダをベースから分離するときに要する力とが同等であるために、綴じられた用紙が偏ったりしたときに不用意に外れるおそれがある。
【０００５】
それゆえに、この発明の主たる目的は、移動リング体をわずかに移動させるだけで、移動リング体を静止リング体から全体的に外すことなく開き、用箋等の被綴じ物を外すことができ、不用意に開くことがない綴じ具及びファイルを提供することである。
【課題を解決するための手段】
【０００６】
この発明にかかる綴じ具は、静止リング体と移動リング体とを備えた綴じ具であって、前記静止リング体は、長さ方向を有する第１ベース体と、前記第１ベース体から上方に向けて突き出し設けられた第１リング部とを有し、前記移動リング体は、長さ方向を有する第２ベース体と、前記第２ベース体から上方に向けて突き出し設けられた第２リング部とを有し、長さ方向の手前側及び／又は向こう側に、静止リング体に係止された移動リング体を脱係させるための操作部を形成され、前記静止リング体の第１リング部及び移動リング体の第２リング部は、その先端にリング部を閉じたとき第１リング部と第２リング部とを第１ベース体の幅方向に離れないように係合して連結されるとともに、リング部を開くとき移動リング体を長さ方向に移動させるように形成された係合部を有し、前記静止リング体及び移動リング体は、長さ方向に操作部を移動させることにより、移動リング体を脱係させて、長さ方向に初期移動させ且つ長さ方向と交差する方向に移動させるように形成され、前記移動リング体は、移動リング体を長さ方向に初期移動させるためのガイド溝及び第２ベース体の長さ方向と交差するように形成されたガイド溝を形成され、前記静止リング体は、前記ガイド溝の軌跡に沿って案内する案内凸部を形成された、綴じ具である。
この発明の請求項２にかかる綴じ具は、静止リング体と移動リング体とを備えた綴じ具であって、前記静止リング体は、長さ方向を有する第１ベース体と、前記第１ベース体から上方に向けて突き出し設けられた第１リング部とを有し、前記移動リング体は、長さ方向を有する第２ベース体と、前記第２ベース体から上方に向けて突き出し設けられた第２リング部とを有し、長さ方向の手前側及び／又は向こう側に、静止リング体に係止された移動リング体を脱係させるための操作部を形成され、前記静止リング体の第１リング部及び移動リング体の第２リング部は、その先端にリング部を閉じたとき第１リング部と第２リング部とを第１ベース体の幅方向に離れないように係合して連結されるとともに、リング部を開くとき移動リング体を長さ方向に移動させるように形成された係合部を有し、前記静止リング体及び移動リング体は、長さ方向に操作部を移動させることにより、移動リング体を脱係させて、長さ方向に初期移動させ且つ長さ方向と交差する方向に移動させるように、第１ベース体及び第２ベース体のうち、一方に、移動ベース体を開閉するように案内するために、長さ方向に初期移動させるための第１ガイド溝及び長さ方向と交差するように形成された第２ガイド溝を形成され、他方に、前記ガイド溝の軌跡に沿って案内する案内凸部を形成され、前記案内凸部は、摺動面の上面より突設され、ガイド溝より離脱することを防止するためにガイド溝の幅より大きい頭部と、前記頭部の下部に連設され頭部を支持する括れ部とを備え、括れ部は、第１ガイド溝と対向する平面状で、第１ガイド溝を摺動する第１摺動部と、第２ガイド溝と対向する平面状で、第１ガイド溝と第２ガイド溝との境界を摺動する第２摺動部と、第２ガイド溝と対向する湾曲面状で、第２ガイド溝を摺動する第３摺動部とを備えた、綴じ具である。
この発明の請求項３にかかる綴じ具は、静止リング体と移動リング体とを備えた綴じ具であって、前記静止リング体は、長さ方向を有する第１ベース体と、前記第１ベース体から上方に向けて突き出し設けられた第１リング部とを有し、前記移動リング体は、長さ方向を有する第２ベース体と、前記第２ベース体から上方に向けて突き出し設けられた第２リング部とを有し、長さ方向の手前側及び／又は向こう側に、静止リング体に係止された移動リング体を脱係させるための操作部を形成され、前記静止リング体の第１リング部及び移動リング体の第２リング部は、その先端にリング部を閉じたとき第１リング部と第２リング部とを第１ベース体の幅方向に離れないように係合して連結されるとともに、リング部を開くとき移動リング体を長さ方向に移動させるように形成された係合部を有し、前記静止リング体の第１ベース体の上面には、第１嵌合部が形成され、且つ前記移動リング体の第２ベース体の背面には、第２嵌合部が形成され、前記第１嵌合部と第２嵌合部とはリング部を閉じたときに嵌合し、移動リング体を初期移動させたときに外れるように形成され、前記静止リング体及び移動リング体は、長さ方向に操作部を移動させることにより、移動リング体を脱係させて、長さ方向に初期移動させ且つ長さ方向と交差する方向に移動させるように形成された、綴じ具である。
この発明の請求項４にかかる綴じ具は、移動リング体は、移動リング体を長さ方向に初期移動させるための第１ガイド溝と、第２ベース体の長さ方向と交差するように形成された第２ガイド溝とを備えた、請求項２に記載の綴じ具である。
この発明の請求項５にかかる綴じ具は、静止リング体及び／又は移動リング体は、更に、長さ方向と交差する方向への移動を静止する移動静止部を形成された、請求項１ないし４のいずれかに記載の綴じ具である。
この発明の請求項６にかかる綴じ具は、前記移動静止部は、リング部を閉じたときにおける第１移動静止部と、リング部を開いたときにおける第２移動静止部とを備える、請求項５に記載の綴じ具である。
この発明の請求項７にかかるファイルは、前記静止リング体は、長さ方向の手前側及び／又は向こう側に、静止リング体に係止された移動リング体を脱係させるための操作部を形成され、前記移動リング体の操作部と静止リング体の操作部とを指先でつまんで、移動リング体を向こう側及び／又は手前側に移動させるように捩ることにより、静止リング体に係止された移動リング体を脱係させるように構成された、請求項１ないし６のいずれかに記載の綴じ具である。
この発明の請求項８にかかるファイルは、前記操作部は、前記移動リング体の長さ方向を有する第２ベース体における長さ方向の手前側及び／又は向こう側に、静止リング体に移動リング体を係止又は脱係させるためのレバー部を形成して構成された、請求項１ないし６のいずれかに記載の綴じ具である。
この発明の請求項９にかかるファイルは、請求項１ないし３のいずれかに記載の綴じ具の静止リング体が、表紙に固定された、ファイルである。
【発明の効果】
【０００７】
請求項１の発明によれば、静止リング体と移動リング体とを備えた綴じ具であって、前記静止リング体は、長さ方向を有する第１ベース体と、前記第１ベース体から上方に向けて突き出し設けられた第１リング部とを有し、前記移動リング体は、長さ方向を有する第２ベース体と、前記第２ベース体から上方に向けて突き出し設けられた第２リング部とを有し、長さ方向の手前側及び／又は向こう側に、静止リング体に係止された移動リング体を脱係させるための操作部を形成され、前記静止リング体の第１リング部及び移動リング体の第２リング部は、その先端にリング部を閉じたとき第１リング部と第２リング部とを第１ベース体の幅方向に離れないように係合して連結されるとともに、リング部を開くとき移動リング体を長さ方向に移動させるように形成された係合部を有し、前記静止リング体及び移動リング体は、長さ方向に操作部を移動させることにより、移動リング体を脱係させて、長さ方向に初期移動させ且つ長さ方向と交差する方向に移動させるように形成され、前記移動リング体は、移動リング体を長さ方向に初期移動させるためのガイド溝及び第２ベース体の長さ方向と交差するように形成されたガイド溝を形成され、前記静止リング体は、前記ガイド溝の軌跡に沿って案内する案内凸部を形成されているので、移動リング体をわずかに移動させるだけで、移動リング体を静止リング体から全体的に外すことなく開き、用箋等の被綴じ物を外すことができ、不用意に開くことがない綴じ具を得ることができる。
請求項２の発明によれば、静止リング体と移動リング体とを備えた綴じ具であって、前記静止リング体は、長さ方向を有する第１ベース体と、前記第１ベース体から上方に向けて突き出し設けられた第１リング部とを有し、前記移動リング体は、長さ方向を有する第２ベース体と、前記第２ベース体から上方に向けて突き出し設けられた第２リング部とを有し、長さ方向の手前側及び／又は向こう側に、静止リング体に係止された移動リング体を脱係させるための操作部を形成され、前記静止リング体の第１リング部及び移動リング体の第２リング部は、その先端にリング部を閉じたとき第１リング部と第２リング部とを第１ベース体の幅方向に離れないように係合して連結されるとともに、リング部を開くとき移動リング体を長さ方向に移動させるように形成された係合部を有し、前記静止リング体及び移動リング体は、長さ方向に操作部を移動させることにより、移動リング体を脱係させて、長さ方向に初期移動させ且つ長さ方向と交差する方向に移動させるように、第１ベース体及び第２ベース体のうち、一方に、移動ベース体を開閉するように案内するために、長さ方向に初期移動させるための第１ガイド溝及び長さ方向と交差するように形成された第２ガイド溝を形成され、他方に、前記ガイド溝の軌跡に沿って案内する案内凸部を形成され、前記案内凸部は、摺動面の上面より突設され、ガイド溝より離脱することを防止するためにガイド溝の幅より大きい頭部と、前記頭部の下部に連設され頭部を支持する括れ部とを備え、括れ部は、第１ガイド溝と対向する平面状で、第１ガイド溝を摺動する第１摺動部と、第２ガイド溝と対向する平面状で、第１ガイド溝と第２ガイド溝との境界を摺動する第２摺動部と、第２ガイド溝と対向する湾曲面状で、第２ガイド溝を摺動する第３摺動部とを備えているので、移動リング体をわずかに移動させるだけで、移動リング体を静止リング体から全体的に外すことなく開き、用箋等の被綴じ物を外すことができ、不用意に開くことがない綴じ具を得ることができる。
請求項３の発明によれば、静止リング体と移動リング体とを備えた綴じ具であって、前記静止リング体は、長さ方向を有する第１ベース体と、前記第１ベース体から上方に向けて突き出し設けられた第１リング部とを有し、前記移動リング体は、長さ方向を有する第２ベース体と、前記第２ベース体から上方に向けて突き出し設けられた第２リング部とを有し、長さ方向の手前側及び／又は向こう側に、静止リング体に係止された移動リング体を脱係させるための操作部を形成され、前記静止リング体の第１リング部及び移動リング体の第２リング部は、その先端にリング部を閉じたとき第１リング部と第２リング部とを第１ベース体の幅方向に離れないように係合して連結されるとともに、リング部を開くとき移動リング体を長さ方向に移動させるように形成された係合部を有し、前記静止リング体の第１ベース体の上面には、第１嵌合部が形成され、且つ前記移動リング体の第２ベース体の背面には、第２嵌合部が形成され、前記第１嵌合部と第２嵌合部とはリング部を閉じたときに嵌合し、移動リング体を初期移動させたときに外れるように形成され、前記静止リング体及び移動リング体は、長さ方向に操作部を移動させることにより、移動リング体を脱係させて、長さ方向に初期移動させ且つ長さ方向と交差する方向に移動させるように形成されているので、移動リング体をわずかに移動させるだけで、移動リング体を静止リング体から全体的に外すことなく開き、用箋等の被綴じ物を外すことができ、不用意に開くことがない綴じ具を得ることができる。
請求項４発明によれば、移動リング体は、移動リング体を長さ方向に初期移動させるための第１ガイド溝と、第２ベース体の長さ方向と交差するように形成された第２ガイド溝とを備えているので、移動リング体をわずかに移動させるだけで、移動リング体を静止リング体から全体的に外すことなく開き、用箋等の被綴じ物を綴じたり、外したりすることができ、不用意に開くことがない綴じ具を得ることができる。
請求項５の発明によれば、静止リング体及び／又は移動リング体は、更に、長さ方向と交差する方向への移動を静止する移動静止部を形成されているので、リング部を閉じたとき、重ね合わされた静止リング体の第１ベース体と移動リング体の第２ベース体とは、不用意に長さ方向への移動をすることがない。
請求項６の発明によれば、前記移動静止部は、リング部を閉じたときにおける第１移動静止部と、リング部を開いたときにおける第２移動静止部とを備えているので、リング部を閉じたときと開いたときのいずれも、所定の位置で停止させて固定される。
請求項７の発明によれば、前記静止リング体は、長さ方向の手前側及び／又は向こう側に、静止リング体に係止された移動リング体を脱係させるための操作部を形成され、前記移動リング体の操作部と静止リング体の操作部とを指先でつまんで、移動リング体を向こう側及び／又は手前側に移動させるように捩ることにより、静止リング体に係止された移動リング体を脱係させるように構成されているので、操作部を捩ることによって移動リング体をわずかに移動させるだけで、移動リング体を静止リング体から全体的に外すことなく開き、用箋等の被綴じ物を外すことができ、不用意に開くことがない綴じ具を得ることができる。
請求項８の発明によれば、前記操作部は、前記移動リング体の長さ方向を有する第２ベース体における長さ方向の手前側及び／又は向こう側に、静止リング体に移動リング体を係止又は脱係させるためのレバー部を形成して構成されているので、レバー部を操作して移動リング体をわずかに移動させるだけで、移動リング体を静止リング体から全体的に外すことなく開き、用箋等の被綴じ物を外すことができ、不用意に開くことがない綴じ具を得ることができる。
請求項９の発明によれば、請求項１ないし３のいずれかに記載の綴じ具の静止リング体が、表紙に固定されているので、表紙を開き、表紙に固定された綴じ具の移動リング体をわずかに移動させるだけで、移動リング体を静止リング体から全体的に外すことなく開き、用箋等の被綴じ物を綴じたり、外したりすることができ、不用意に開くことがない綴じ具を備えたファイルを得ることができる。
【０００８】
この発明の上述の目的、その他の目的、特徴および利点は、図面を参照して行う以下の発明を実施するための最良の形態の説明から一層明らかとなろう。
この発明にかかる綴じ具及びファイルの各部は、図９８において示すように、方向性を有している。
【発明を実施するための最良の形態】
【０００９】
図１は、この発明の一実施の形態であるファイルの斜視図解図であり、図２は、この発明に係る綴じ具の一例を示す斜視図解図である。図３は、図２図示綴じ具の移動リング体を開いた状態を示す斜視図解図であり、図４は、図２に示す綴じ具の静止リング体の斜視図解図であり、図１４は、図２に示す綴じ具の移動リング体の斜視図解図である。
綴じ具１０は、透明ポケット等の多穴の被綴じ物Ｓを綴じるファイル１２の一部として用いられ、ファイル１２の表紙に取り付けられる。
表紙１４は、背表紙１４ａを含み、背表紙１４ａの両側に、表表紙１４ｂ及び裏表紙１４ｃが形成される。そして、背表紙１４ａに、綴じ具１０が取り付けられる。
綴じ具１０は、多穴の被綴じ物Ｓの綴じ孔に貫挿される多穴用であり、表紙１４に固定する静止リング体２０と、静止リング体２０に移動自在に固定された移動リング体３０とを含む。
綴じ具１０の全体の横幅は、背表紙１４ａの横幅と略々同じかそれより狭く構成されている。
【００１０】
静止リング体２０は、ＡＢＳ樹脂等の弾力性を有する合成樹脂で一体成形されている。
静止リング体２０は、図３に示すように、合成樹脂などで構成される略々平面視略長方形の薄板状の第１ベース体２０２を含む。
【００１１】
第１ベース体２０２は、第１ベース体２０２に突設された中空状取付部２０２ａを、図３６に示すように、表紙１４の背表紙１４ａに穿設された貫通孔１４ａ１に挿入し、中空状取付部２０２ａをヒーター又は超音波にて加熱して変形させて固定される。更に、第１ベース体２０２は、たとえば、リベットなどの固定具を、第１ベース体２０２に穿設された取付孔２０２ｂに挿入し、表紙１４を構成するシートと固定することによって、背表紙１４ａに固定される。
【００１２】
静止リング体２０の第１ベース体２０２は、全体が平面視略長方形状で、長さ方向を備え、第１ベース体２０２は、長さ方向に略々同じ高さの平面を上下に有し、上面に上方に向けて同一間隔をあけて並列された複数の環状第１リング部２０４を備え、且つ上面に移動リング体３０の下面と接し合わされ摺動する摺動面２０６を備える。
静止リング体２０は、移動リング体３０を移動自在に固定しており、幅方向における両側部又は片側部において、移動リング体３０の左右の側部を係止して、移動リング体３０の移動を規制する。
【００１３】
移動リング体３０は、ＡＢＳ樹脂等の弾力性を有する合成樹脂で一体成形されている。
移動リング体３０は、図１４に示すように、合成樹脂などで構成される略々平面視略長方形の薄板状の第２ベース体３０２を含む。
【００１４】
移動リング体３０は、全体が平面視略長方形状で、長さ方向を備え、第２ベース体３０２は、長さ方向に略々同じ高さの平面を上下に有し、上面には上方に向けて同一間隔をあけて並列された複数の環状第２リング部３０４を備え、下面には、静止リング体２０の上面の摺動面２０６と接し合わされ摺動する摺動面３０６を備える。
移動リング体３０は、静止リング体２０に移動自在に固定されており、幅方向における両側部又は片側部において、静止リング体２０の左右の側部を係止して、移動リング体３０の移動を規制する。
【００１５】
前記静止リング体２０は、表表紙１４ｂ側の垂直平面状のＡ面側端縁２０８と裏表紙１４ｃ側の垂直平面状のＢ面側端縁２１０とを備える。前記第１ベース体２０２のＢ面側端縁２１０近傍から上方に向けて、第１リング部２０４が突き出し設けられている。
【００１６】
前記移動リング体３０の第２ベース体３０２は、表表紙１４ｂ側の垂直平面状のＡ面側端縁３０８と裏表紙１４ｃ側の垂直平面状のＢ面側端縁３１０とを備える。前記第２ベース体３０２のＡ面側端縁３０８の近傍から上方に向けて、第２リング部３０４が突き出し設けられている。
【００１７】
前記静止リング体２０の第１リング部２０４及び移動リング体３０の第２リング部３０４は、第１リング部２０４と第２リング部３０４とを閉じたとき、第１リング部２０４と第２リング部３０４とを第１ベース体２０２の幅方向に離れないように、その先端において係合して連結されるとともに、第１リング部２０４と第２リング部３０４とを開くとき、移動リング体３０を長さ方向に移動させるように形成された綴杆係合部を有する。綴杆係合部は、第１リング部２０４の先端の第１係合部２１２と第２リング部３０４の先端の第２係合部３１２とを有する。
そして、前記静止リング体２０及び移動リング体３０は、移動リング体３０を脱係させて、長さ方向に初期移動させ且つ長さ方向と交差する方向に移動させるように形成されている。
【００１８】
第１リング部２０４は、略円環状の綴杆となるように、半円形状に構成され、第２リング部３０４は、略円環状の綴杆となるように、半円形状に構成されている。そして、綴杆係合部は、用紙等の被綴じ物Ｓに予め穿設された綴じ孔に挿通して、用紙Ｓを綴じることができるように、第１リング部２０４の先端と第２リング部３０４の先端、すなわち第１リング部２０４及び第２リング部３０４の頂部において、形成されている。
【００１９】
この実施の形態においては、第１リング部２０４と第２リング部３０４とは、同じ形状、すなわち曲率（曲率半径）が同じものである。
第１リング部２０４の自由端の第１係合部２１２と、第２リング部３０４の自由端の第２係合部３１２とを係止することにより、環状に連結される。
【００２０】
主として図２３ないし２７において示すように、第１リング部２０４を構成する第１の半割杆２５０の先端に形成された第１係合部２１２を構成する先端の凸部２５２及びその凸部２５２に続く凹部２５４と、第２リング部３０４を構成する第２の半割杆３５０の先端に形成された第２係合部３１２を構成する先端の凸部３５２及びその先端の凸部３５２に続く凹部３５４とは、第１リング部２０４と第２リング部３０４とを閉じたとき係合するように逆方向に向けて突き出しあるいは凹み形成されている。
第１リング部２０４を構成する第１の半割杆２５０の凸部２５２は、それぞれ先端から向こう側に向けて傾斜する傾斜対向面２５６と、傾斜対向面２５６に続き、凸部２５２の先端から除々に後端側（すなわち基部側）に入り込んだ傾斜対向面２５８が形成され、後端近傍が鉤状で、全体として鉤鼻状に形成されている。
主として図２８ないし３２において示すように、第２リング部３０４を構成する第２の半割杆３５０の凸部３５２は、それぞれ先端から手前側に向けて傾斜する傾斜対向面３５６と、傾斜対向面３５６に続き、凸部３５２の先端から除々に後端側（すなわち基部側）に入り込んだ傾斜対向面３５８が形成され、後端近傍が鉤状で、全体として鉤鼻状に形成されている。
凹部２５４は、基部側から先端に向けて傾斜対向面を備え、凹部３５４は、同様に基部側から先端に向けて傾斜対向面を備えている。
【００２１】
第１の半割杆２５０の綴杆係止部を構成する凸部２５２は、第２の半割杆３５０の綴杆係止部を構成する凸部３５２と反対方向に向けて（すなわち、凸部２５２は向こう側に向けて、凸部３５２は手前側に向けて）突き出し設けられ、先端部から基部側にかけて形成された湾曲凸面を備え、両方が略々同一形状に形成されている。
また、第１の半割杆２５０の綴杆係止部を構成する凹部２５４は、第２の半割杆３５０の綴杆係止部を構成する凹部３５４と反対方向に向けて（すなわち、凹部２５４は手前側に向けて、凹部３５４は向こう側に向けて）凹み形成され、凸部２５２及び凸部３５２の基部側から先端にかけて形成された湾曲凹面を備え、両方が略々同一形状に形成されている。
第１の半割杆２５０の凸部２５２及び凹部２５４と第２の半割杆３５０の凸部３５２及び凹部３５４とは、点対称に形成されている。
【００２２】
第１の半割杆２５０は、凸部２５２の下部に、水平方向に向けて、凸部２５２の頂部から凹む上下規制凹部２６０が形成され、第２の半割杆３５０は、凸部３５２の下部に、水平方向に向けて、凹部３５４側に膨出する上下動規制凸部３６０が形成されている。
そして、第１リング部２０４と第２リング部３０４とを閉じて第１の半割杆２５０と第２の半割杆３５０とをその先端の綴杆係合部で係合したとき、上下規制凹部２６０に上下規制凸部３６０が嵌合し、第１リング部２０４と第２リング部３０４が上下方向に外れないように構成されている。
【００２３】
第１の半割杆２５０の凸部２５２の傾斜対向面２５６及び第２の半割杆３５０の凹部３５４の傾斜対向面は、第１の半割杆２５０及び第２の半割杆３５０の軸方向とは斜交するように形成され、開閉するときには、凸部２５２の傾斜対向面２５６と凹部３５４の傾斜対向面とが接し合い又離れるように構成されている。
第２の半割杆３５０の凸部３５２の傾斜対向面３５６及び第１の半割杆２５０の凹部２５４の傾斜対向面は、第２の半割杆３５０の軸方向とは斜交するように形成され、開閉するときには、凸部３５２の傾斜対向面３５６と凹部２５４の傾斜対向面とが接し合い又離れるように構成されている。
【００２４】
第１ベース体２０２及び／又は第２ベース体３０２は、一方の第２ベース体３０２に、移動リング体３０を開閉するように案内するガイド溝３１４を形成され、他方の第１ベース体２０２に、前記ガイド溝３１４の軌跡に沿って移動リング体３０を案内する案内凸部２１４を形成されている。
【００２５】
案内凸部２１４は、第１ベース体２０２の表表紙１４ａ側の垂直平面状のＡ面側端縁２０８の近傍において、摺動面２０６の上面より突設されている。
【００２６】
案内凸部２１４は、主として図４及び図５において示すように、ガイド溝３１４より離脱することを防止するためにガイド溝３１４の幅より大きい頭部２１６と、前記頭部２１６の下部に連設され頭部２１６を支持する括れ部２１８とを備え、括れ部２１８によって第１ベース体２０２に連設されている。
【００２７】
括れ部２１８は、第１ガイド溝３１６と対向する平面状で、第１ガイド溝３１６を摺動する第１摺動部２２０と、第２ガイド溝３１８と対向する平面状で、第１ガイド溝３１６と第２ガイド溝３１８との境界（後述する第２ガイド線条壁３２２と第３ガイド線条壁３２４との境界）を摺動する第２摺動部２２２と、第２ガイド溝３１８と対向する湾曲面状で、第２ガイド溝３１８（後述する第４ガイド線条壁３２６面）を摺動する第３摺動部２２４とを備える。
【００２８】
そして、移動リング体３０のガイド溝３１４は、主として図１６ないし図２２において示すように、移動リング体３０を長さ方向に初期移動させるための第１ガイド溝３１６と、第２ベース体３０２の長さ方向と交差するように形成された第２ガイド溝３１８とを備えている。
第１ガイド溝３１６は、表表紙１４ａ側の垂直平面状のＡ面側端縁３０８において，第２ベース体３０２の長さ方向と平行に形成され、第２ガイド溝３１８は、第１ガイド溝３１６の手前側端より、第２ベース体３０２の長さ方向と略４５度の角度をもって斜行し、第２ガイド溝３１８に嵌合された静止リング体２０の案内凸部２１４を裏表紙１４ｃ側の垂直平面状のＢ面側端縁３１０迄導くように構成されている。
第１ガイド溝３１６は、主として図１９ないし図２１において示すように、Ａ面側端縁３０８を構成する第１ガイド線条壁３２０と、前記第１ガイド線条壁３２０と対向し平行に形成された第２ガイド線条壁３２２とによって構成される。
第２ガイド溝３１８は、主として図１６ないし図２０において示すように、第２ガイド線条壁３２２より第２ベース体３０２の長さ方向と略４５度の角度を持って斜交する第３ガイド線条壁３２４と、前記第３ガイド線条壁３２４と対向し平行に形成された第４ガイド線条壁３２６とによって構成される。
ガイド溝３１４は、静止リング体２０の長手方向において、最も手前側と最も向こう側とそれらの中間とに複数条等間隔をおいて形成されている。
【００２９】
静止リング体２０の第１ベース体２０２の摺動面２０６の上面には、半球状第１嵌合部２３０が形成され（図１２参照）、且つ移動リング体３０の第２ベース体３０２の背面には、円筒状第２嵌合部３３０が形成され（図２２参照）、前記第１嵌合部２３０と第２嵌合部３３０とはリング部を閉じたときに嵌合し、移動リング体３０を初期移動させたときに外れるように形成されている。
第１嵌合部２３０及び第２嵌合部３３０は、静止リング体２０の第１リング部２０４と移動リング体３０の第２リング部３０４とが閉じ且つ第１ベース体２０２と第２ベース体３０２とが重ね合わされた状態のときに、嵌合するように構成されている。
この実施の形態においては、第１嵌合部２３０及び第２嵌合部３３０は、第１ベース体２０２及び第２ベース体３０２の幅方向における略々中央において、最も手前側と、最も向こう側と、それらの中間に複数個適宜な間隔をあけて突設されている。
【００３０】
静止リング体２０及び／又は移動リング体３０は、更に、長さ方向と交差する方向への移動を静止する移動静止部を形成されている。
前記移動静止部は、第１リング部２０４と第２リング部３０４とを開いたときにおける第１移動静止部２３２と、第１リング部２０４と第２リング部３０４とを閉じたときにおける第２移動静止部２３４とを備えている（図５参照）。
【００３１】
第１移動静止部２３２は、図４６及び図４７で示すように、第１ベース体２０２の表表紙１４ｂ側の摺動面２０６の上面に突設された第１突条２７０と案内凸部２１４とを含む。
第１突条２７０は、前記案内凸部２１４の間に形成され、移動リング体３０のＢ面側端縁３１０の内側面と突き当たるための垂直平面を形成され、移動リング体３０を水平に保持するように、構成されている。
案内凸部２１４は、移動リング体３０の第２ベース体３０２の下面において、第２ガイド溝３１８を形成する第４ガイド線条壁３２６から突設された、倒Ｌ字型となるガイド突条３７０と係止され、移動リング体３０を水平に保持するように構成されている。
【００３２】
第２移動静止部２３４は、図３６ないし３９に示すように、第２ベース体３０２の裏表紙１４ｃ側のＢ面側端縁３１０において第２ベース体３０２の幅方向に突設された第２突条３７２と案内凸部２１４とを含む。第２突条３７２は、最も手前側と最も向こう側とそれらの中間に複数個適宜な間隔をおいて形成され、静止リング体２０のＢ面側端縁２１０の内側面の凹条２７２と嵌合し、移動リング体３０を水平に保持するように構成されている。
案内凸部２１４は、移動リング体３０の第２ベース体３０２の下面において突設されている。そして、案内凸部２１４は、第１ガイド溝３１６を構成する第１ガイド線条壁３２０に穿設された嵌合孔部３７４に嵌合され、第２ベース体３０２の下面との間において移動リング体３０を水平に保持するように構成されている。
【００３３】
静止リング体２０及び／又は移動リング体３０は、更に、長さ方向と交差する方向への移動を静止する移動静止部を形成されている。
前記移動静止部は、第１リング部２０４と第２リング部３０４と開いたときにおける第３移動静止部２３６と、第１リング部２０４と第２リング部３０４とを閉じたときにおける第４移動静止部２３８とを備えている（図５参照）。
第３移動静止部２３６は、第１移動静止部２３２と同一の構成により、長さ方向と交差する方向への移動を静止する。
【００３４】
第４移動静止部２３８は、移動リング体３０の第２ベース体３０２の向こう側端縁において、第２ベース体３０２の幅方向に突設された、第１突部３８０と、移動リング体３０の第２ベース体３０２の手前側端縁において、第２ベース体３０２の内方に向けて突設された、断面Ｌ字型の第２突部３８２とを有する。
そして、第１突部３８０は、静止リング体２０の第１ベース体２０２のＡ面側端縁２０８の向こう側端縁と当接し、第２突部３８２は、第１ベース体２０２の手前側端縁の内側に係合して、移動リング体３０の第２ベース体３０２の長さ方向への移動、特に手前側への移動を規制する。
【００３５】
移動リング体３０は、長さ方向の手前側に、静止リング体２０に移動リング体３０を係止又は脱係させるための操作部を構成するレバー部３４０を形成されている。
レバー部３４０は、移動リング体３０の第２ベース体３０２に連設され，第２ベース体３０２の手前側端に細溝３４２をもって区画された支点部３４４と、前記支点部３４４より上方に向けて略９０度の角度をもって突設された押圧部３４６とを有する。そして、移動リング体３０は、押圧部３４５の下方に形成された係合部３４６ａにより静止リング体２０の第１ベース体２０２の手前側端縁に係合する。
レバー部３４０は、押圧部３４６の手前側の面を押せば、支点部３４４を中心にして、特に第２ベース体３０２との境界部を支点として内方に撓み、第１ベース体２０２との係合を外れ、移動リング体３０を斜め前方に向けて押すことができる（図４０参照）。
なお、この実施の形態においては、レバー部３４０の押圧部３４６の周囲には、押圧部３４６に不用意に力が加わらないように、正面視アーチ形の覆い部３４８が形成されている。
【００３６】
移動リング体３０の第２ベース体３０２が静止リング体２０の第１ベース体２０２に重ね合わされて第１リング部２０４と第２リング部３０４とが閉じた状態にある綴じ具１０は、次のようにして、第１リング部２０４と第２リング部３０４とを開くことができる。
まず、綴じ具１０の手前側のレバー部３４０の押圧部３４６を押すと、図４０において示すように、レバー部３４０の押圧部３４６の下部の係合部３４６ａにおいて第１ベース体２０２の手前側端と係合していた押圧部３４６の係合部３４６ａが外れ、更に、レバー部３４０を第１ベース体２０２の長さ方向に押すと、図４１及び４２において示すように、移動リング体３０が第２ベース体３０２の長さ方向と平行に、すなわち、レバー部３４０の押す方向と同じ方向に初期移動する。すなわち、第１ガイド溝３１６に沿って、移動リング体３０は、初期移動する。
更に、レバー部３４０を押すと、図４３及び図４４において示すように、移動リング体３０は、第２ガイド溝３１８に沿って静止リング体２０の摺動面２０６の面上を摺動して、第２ベース体３０２の長さ方向と交差する方向に斜行する。
そして、第１移動静止部２３２の作用により、移動リング体３０は、静止リング体２０のＡ面側端縁２０８より側方にはみ出した位置で停止し、第１リング部２０４と第２リング部３０４とは開く。
ここで、多数の綴じ穴が穿設された被綴じ物Ｓを、第１リング部２０４に綴じ込む。
【００３７】
次に、第１リング部２０４と第２リング部３０４とを閉じる方法について説明する。
移動リング体３０は、例えば第２リング部３０４の押圧部３４６を手前側に引かれることにより、第２ガイド溝３１８に沿って、静止リング体２０の摺動面２０６の面上を摺動して、第２ベース体３０２の長さ方向と交差する方向に斜行する。
更に、移動リング体３０は、手前側に引かれることにより、第１リング部２０４と第２リング部３０４とを開くときの初期移動とは反対方向に、第２ベース体３０２の長さ方向と平行に移動する。
更に、移動リング体３０は、手前側に引かれると、第２移動静止部２３４及び第４移動静止部２３８の作用により、静止リング体２０の第１ベース体２０２の面上に移動リング体３０の第２ベース体３０２が重ね合わされた状態で停止し、固定される。このとき、第１ベース体２０２の第１嵌合部２３０は、第２ベース体３０２の第２嵌合部３３０と嵌合する。
第１リング部２０４は、綴杆係合部において第２リング部３０４と係合されて、第２リング部３０４と環状に連結される。
而して、第２移動静止部２３４、第４移動静止部２３８及び綴杆係合部の作用により、綴じ具１０は、水平方向及び垂直方向への移動を規制され、不用意に第１リング部２０４と第２リング部３０４とが開くことはない。
【００３８】
この発明は、前記実施の形態に限定されることはなく、この発明の思想に基づき変更することができる。
図４９は、この発明の一実施の形態であるファイルの斜視図解図であり、図５０は、この発明に係る綴じ具の一例を示す斜視図解図である。図５１は、図５０図示綴じ具の移動リング体を開いた状態を示す斜視図解図であり、図５２は、図５０に示す綴じ具の静止リング体の斜視図解図であり、図６２は、図５０に示す綴じ具の移動リング体の斜視図解図である。
綴じ具１１０は、透明ポケット等の多穴の被綴じ物Ｓを綴じるファイル１１２の一部として用いられ、ファイル１１２の表紙に取り付けられる。
表紙１１４は、背表紙１１４ａを含み、背表紙１１４ａの両側に、表表紙１１４ｂ及び裏表紙１１４ｃが形成される。そして、背表紙１１４ａに、綴じ具１１０が取り付けられる。
綴じ具１１０は、多穴の被綴じ物Ｓの綴じ孔に貫挿される多穴用であり、表紙１１４に固定する静止リング体２００と、静止リング体２００に移動自在に固定された移動リング体３００とを含む。
綴じ具１１０の全体の横幅は、背表紙１１４ａの横幅と略々同じかそれより狭く構成されている。
【００３９】
静止リング体２００は、ＡＢＳ樹脂等の弾力性を有する合成樹脂で一体成形されている。
静止リング体２００は、図５１に示すように、合成樹脂などで構成される略々平面視略長方形の薄板状の第１ベース体２００２を含む。
【００４０】
第１ベース体２００２は、第１ベース体２００２に穿設された取付孔２００２ｂを、図８４に示すように、表紙１１４の背表紙１１４ａに穿設された貫通孔１１４ａ１に合わせ、たとえば、リベットなどの固定具を、第１ベース体２００２に穿設された取付孔２００２ｂと貫通孔１１４ａ１とに挿入し、表紙１１４を構成するシートと固定することによって、背表紙１１４ａに固定される。
【００４１】
静止リング体２００の第１ベース体２００２は、全体が平面視略長方形状で、長さ方向を備え、第１ベース体２００２は、長さ方向に略々同じ高さの平面を上下に有し、上面に上方に向けて同一間隔をあけて並列された複数の環状第１リング部２００４を備え、且つ上面に移動リング体３００の下面と接し合わされ摺動する摺動面２００６を備える。
静止リング体２００は、移動リング体３００を移動自在に固定しており、幅方向における両側部又は片側部において、移動リング体３００の左右の側部を係止して、移動リング体３００の移動を規制する。
【００４２】
移動リング体３００は、ＡＢＳ樹脂等の弾力性を有する合成樹脂で一体成形されている。
移動リング体３００は、図６２に示すように、合成樹脂などで構成される略々平面視略長方形の薄板状の第２ベース体３００２を含む。
【００４３】
移動リング体３００は、全体が平面視略長方形状で、長さ方向を備え、第２ベース体３００２は、長さ方向に略々同じ高さの平面を上下に有し、上面には上方に向けて同一間隔をあけて並列された複数の環状第２リング部３００４を備え、下面には、静止リング体２００の上面の摺動面２００６と接し合わされ摺動する摺動面３００６を備える。
移動リング体３００は、静止リング体２００に移動自在に固定されており、幅方向における両側部又は片側部において、静止リング体２００の左右の側部を係止して、移動リング体３００の移動を規制する。
【００４４】
前記静止リング体２００は、表表紙１１４ｂ側の垂直平面状のＡ面側端縁２００８と裏表紙１１４ｃ側の垂直平面状のＢ面側端縁２０１０とを備える。前記第１ベース体２００２のＢ面側端縁２０１０近傍から上方に向けて、第１リング部２００４が突き出し設けられている。
【００４５】
前記移動リング体３００の第２ベース体３００２は、表表紙１１４ｂ側の垂直平面状のＡ面側端縁３００８と裏表紙１１４ｃ側の垂直平面状のＢ面側端縁３０１０とを備える。前記第２ベース体３００２のＡ面側端縁３００８の近傍から上方に向けて、第２リング部３００４が突き出し設けられている。
【００４６】
前記静止リング体２００の第１リング部２００４及び移動リング体３００の第２リング部３００４は、第１リング部２００４と第２リング部３００４とを閉じたとき、第１リング部２００４と第２リング部３００４とを第１ベース体２００２の幅方向に離れないように、その先端において係合して連結されるとともに、第１リング部２００４と第２リング部３００４とを開くとき、移動リング体３００を長さ方向に移動させるように形成された綴杆係合部を有する。綴杆係合部は、第１リング部２００４の先端の第１係合部２０１２と第２リング部３００４の先端の第２係合部３０１２とを有する。
そして、前記静止リング体２００及び移動リング体３００は、移動リング体３００を脱係させて、長さ方向に初期移動させ且つ長さ方向と交差する方向に移動させるように形成されている。
【００４７】
第１リング部２００４は、略円環状の綴杆となるように、半円形状に構成され、第２リング部３００４は、略円環状の綴杆となるように、半円形状に構成されている。そして、綴杆係合部は、用紙等の被綴じ物Ｓに予め穿設された綴じ孔に挿通して、用紙Ｓを綴じることができるように、第１リング部２００４の先端と第２リング部３００４の先端、すなわち第１リング部２００４及び第２リング部３００４の頂部において、形成されている。
【００４８】
この実施の形態においては、第１リング部２００４と第２リング部３００４とは、同じ形状、すなわち曲率（曲率半径）が同じものである。
第１リング部２００４の自由端の第１係合部２０１２と、第２リング部３００４の自由端の第２係合部３０１２とを係止することにより、環状に連結される。
【００４９】
主として図７１ないし７５において示すように、第１リング部２００４を構成する第１の半割杆２０５０の先端に形成された第１係合部２０１２を構成する先端の凸部２０５２及びその凸部２０５２に続く凹部２０５４と、第２リング部３００４を構成する第２の半割杆３０５０の先端に形成された第２係合部３０１２を構成する先端の凸部３０５２及びその先端の凸部３０５２に続く凹部３０５４とは、第１リング部２００４と第２リング部３００４とを閉じたとき係合するように逆方向に向けて突き出しあるいは凹み形成されている。
第１リング部２００４を構成する第１の半割杆２０５０の凸部２０５２は、それぞれ先端から向こう側に向けて傾斜する傾斜対向面２０５６と、傾斜対向面２０５６に続き、凸部２０５２の先端から除々に後端側（すなわち基部側）に入り込んだ傾斜対向面２０５８が形成され、後端近傍が鉤状で、全体として鉤鼻状に形成されている。
主として図７６ないし８０において示すように、第２リング部３００４を構成する第２の半割杆３０５０の凸部３０５２は、それぞれ先端から手前側に向けて傾斜する傾斜対向面３０５６と、傾斜対向面３０５６に続き、凸部３０５２の先端から除々に後端側（すなわち基部側）に入り込んだ傾斜対向面３０５８が形成され、後端近傍が鉤状で、全体として鉤鼻状に形成されている。
凹部２０５４は、基部側から先端に向けて傾斜対向面を備え、凹部３０５４は、同様に基部側から先端に向けて傾斜対向面を備えている。
【００５０】
第１の半割杆２０５０の綴杆係止部を構成する凸部２０５２は、第２の半割杆３０５０の綴杆係止部を構成する凸部３０５２と反対方向に向けて（すなわち、凸部２０５２は向こう側に向けて、凸部３０５２は手前側に向けて）突き出し設けられ、先端部から基部側にかけて形成された湾曲凸面を備え、両方が略々同一形状に形成されている。
また、第１の半割杆２０５０の綴杆係止部を構成する凹部２０５４は、第２の半割杆３０５０の綴杆係止部を構成する凹部３０５４と反対方向に向けて（すなわち、凹部２０５４は手前側に向けて、凹部３０５４は向こう側に向けて）凹み形成され、凸部２０５２及び凸部３０５２の基部側から先端にかけて形成された湾曲凹面を備え、両方が略々同一形状に形成されている。
第１の半割杆２０５０の凸部２０５２及び凹部２０５４と第２の半割杆３０５０の凸部３０５２及び凹部３０５４とは、点対称に形成されている。
【００５１】
第１の半割杆２０５０は、凸部２０５２の下部に、水平方向に向けて、凸部２０５２の頂部から凹む上下規制凹部２０６０が形成され、第２の半割杆３０５０は、凸部３０５２の下部に、水平方向に向けて、凹部３０５４側に膨出する上下動規制凸部３０６０が形成されている。
そして、第１リング部２００４と第２リング部３００４とを閉じて第１の半割杆２０５０と第２の半割杆３０５０とをその先端の綴杆係合部で係合したとき、上下規制凹部２０６０に上下規制凸部３６０が嵌合し、第１リング部２００４と第２リング部３００４が上下方向に外れないように構成されている。
【００５２】
第１の半割杆２０５０の凸部２０５２の傾斜対向面２０５６及び第２の半割杆３０５０の凹部３０５４の傾斜対向面は、第１の半割杆２０５０及び第２の半割杆３０５０の軸方向とは斜交するように形成され、開閉するときには、凸部２０５２の傾斜対向面２０５６と凹部３０５４の傾斜対向面とが接し合い又離れるように構成されている。
第２の半割杆３０５０の凸部３０５２の傾斜対向面３０５６及び第１の半割杆２０５０の凹部２０５４の傾斜対向面は、第２の半割杆３０５０の軸方向とは斜交するように形成され、開閉するときには、凸部３０５２の傾斜対向面３０５６と凹部２０５４の傾斜対向面とが接し合い又離れるように構成されている。
【００５３】
第１ベース体２００２及び／又は第２ベース体３００２は、一方の第２ベース体３００２に、移動リング体３００を開閉するように案内するガイド溝３０１４を形成され、他方の第１ベース体２００２に、前記ガイド溝３０１４の軌跡に沿って移動リング体３００を案内する案内凸部２０１４を形成されている。
【００５４】
案内凸部２０１４は、第１ベース体２００２の表表紙１１４ａ側の垂直平面状のＡ面側端縁２００８の近傍において、摺動面２００６の上面より突設されている。
【００５５】
案内凸部２０１４は、主として図５２及び５３において示すように、ガイド溝３０１４より離脱することを防止するためにガイド溝３０１４の幅より大きい頭部２０１６と、前記頭部２０１６の下部に連設され頭部２０１６を支持する括れ部２０１８とを備え、括れ部２０１８によって第１ベース体２００２に連設されている。
【００５６】
括れ部２０１８は、第１ガイド溝３０１６と対向する平面状で、第１ガイド溝３０１６を摺動する第１摺動部２０２０と、第２ガイド溝３０１８と対向する平面状で、第１ガイド溝３０１６と第２ガイド溝３０１８との境界（後述する第２ガイド線条壁３０２２と第３ガイド線条壁３０２４との境界）を摺動する第２摺動部２０２２と、第２ガイド溝３０１８と対向する湾曲面状で、第２ガイド溝３０１８（後述する第４ガイド線条壁３０２６面）を摺動する第３摺動部２０２４とを備える。
【００５７】
そして、移動リング体３００のガイド溝３０１４は、主として図６４ないし７０において示すように、移動リング体３００を長さ方向に初期移動させるための第１ガイド溝３０１６と、第２ベース体３００２の長さ方向と交差するように形成された第２ガイド溝３０１８とを備えている。
第１ガイド溝３０１６は、表表紙１１４ａ側の垂直平面状のＡ面側端縁３００８において，第２ベース体３００２の長さ方向と平行に形成され、第２ガイド溝３０１８は、第１ガイド溝３０１６の手前側端より、第２ベース体３００２の長さ方向と略４５度の角度をもって斜行し、第２ガイド溝３０１８に嵌合された静止リング体２００の案内凸部２０１４を裏表紙１１４ｃ側の垂直平面状のＢ面側端縁３０１０迄導くように構成されている。
第１ガイド溝３０１６は、主として図６７ないし６９において示すように、Ａ面側端縁３００８を構成する第１ガイド線条壁３０２０と、前記第１ガイド線条壁３０２０と対向し平行に形成された第２ガイド線条壁３０２２とによって構成される。
第２ガイド溝３０１８は、主として図６４ないし６８において示すように、第２ガイド線条壁３０２２より第２ベース体３００２の長さ方向と略４５度の角度を持って斜交する第３ガイド線条壁３０２４と、前記第３ガイド線条壁３０２４と対向し平行に形成された第４ガイド線条壁３０２６とによって構成される。
ガイド溝３０１４は、静止リング体２００の長手方向において、最も手前側と最も向こう側とそれらの中間とに複数条等間隔をおいて形成されている。
【００５８】
静止リング体２００の第１ベース体２００２の摺動面２００６の上面には、半球状第１嵌合部２０３０が形成され（図６０参照）、且つ移動リング体３００の第２ベース体３００２の背面には、円筒状第２嵌合部３０３０が形成され（図７０参照）、前記第１嵌合部２０３０と第２嵌合部３０３０とはリング部を閉じたときに嵌合し、移動リング体３００を初期移動させたときに外れるように形成されている。
第１嵌合部２０３０及び第２嵌合部３０３０は、静止リング体２００の第１リング部２００４と移動リング体３００の第２リング部３００４とが閉じ且つ第１ベース体２００２と第２ベース体３００２とが重ね合わされた状態のときに、嵌合するように構成されている。
この実施の形態においては、第１嵌合部２０３０及び第２嵌合部３０３０は、第１ベース体２００２及び第２ベース体３００２の幅方向における略々中央において、最も手前側と、最も向こう側とに適宜な間隔をあけて突設されている。
【００５９】
静止リング体２００及び／又は移動リング体３００は、更に、長さ方向と交差する方向への移動を静止する移動静止部を形成されている。
前記移動静止部は、第１リング部２００４と第２リング部３００４とを開いたときにおける第１移動静止部２０３２と、第１リング部２００４と第２リング部３００４とを閉じたときにおける第２移動静止部２０３４とを備えている（図５３参照）。
【００６０】
第１移動静止部２０３２は、図９４及び図９５で示すように、第１ベース体２００２の表表紙１１４ｂ側の摺動面２００６の上面に突設された第１突条２０７０と案内凸部２０１４とを含む。
第１突条２０７０は、前記案内凸部２０１４の間に形成され、移動リング体３００のＢ面側端縁３０１０の内側面と突き当たるための垂直平面を形成され、移動リング体３００を水平に保持するように、構成されている。
案内凸部２０１４は、移動リング体３００の第２ベース体３００２の下面において、第２ガイド溝３０１８を形成する第４ガイド線条壁３０２６から突設された、倒Ｌ字型となるガイド突条３０７０と係止され、移動リング体３００を水平に保持するように構成されている。
【００６１】
第２移動静止部２０３４は、図８４ないし８７に示すように、第２ベース体３００２の裏表紙１１４ｃ側のＢ面側端縁３０１０において第２ベース体３００２の幅方向に突設された第２突条３０７２と案内凸部２０１４とを含む。第２突条３０７２は、最も手前側と最も向こう側とそれらの中間に複数個適宜な間隔をおいて形成され、静止リング体２００のＢ面側端縁２０１０の内側面の凹条２０７２と嵌合し、移動リング体３００を水平に保持するように構成されている。
案内凸部２０１４は、移動リング体３００の第２ベース体３００２の下面において突設されている。そして、案内凸部２０１４は、第１ガイド溝３０１６を構成する第１ガイド線条壁３０２０に穿設された嵌合孔部３０７４に嵌合され、第２ベース体３００２の下面との間において移動リング体３００を水平に保持するように構成されている。
【００６２】
静止リング体２００及び／又は移動リング体３００は、更に、長さ方向と交差する方向への移動を静止する移動静止部を形成されている。
前記移動静止部は、第１リング部２００４と第２リング部３００４と開いたときにおける第３移動静止部２０３６と、第１リング部２００４と第２リング部３００４とを閉じたときにおける第４移動静止部２０３８とを備えている（図５３参照）。
第３移動静止部２０３６は、第１移動静止部２０３２と同一の構成により、長さ方向と交差する方向への移動を静止する。
【００６３】
第４移動静止部２０３８は、移動リング体３００の第２ベース体３００２の向こう側端縁において、第２ベース体３００２の幅方向に突設された、第１突部３０８０と、移動リング体３００の第２ベース体３００２の手前側端縁において、第２ベース体３００２の内方に向けて突設された、断面Ｌ字型の第２突部３０８２とを有する。
そして、第１突部３０８０は、静止リング体２００の第１ベース体２００２のＡ面側端縁２００８の向こう側端縁と当接し、第２突部３０８２は、第１ベース体２００２の手前側端縁の内側に係合して、移動リング体３００の第２ベース体３００２の長さ方向への移動、特に手前側への移動を規制する。
【００６４】
移動リング体３００は、長さ方向の手前側に、静止リング体２００に係止された移動リング体３００を脱係させるための操作部を構成する押動部３０４０を形成されている。移動リング体３００の押動部３０４０は、移動リング体３００を静止リング体２００に係止させるための操作部も構成している。
押動部３０４０は、移動リング体３００の第２ベース体３００２に連設され，第２ベース体３００２の手前側端に形成された支点部３０４４と、前記支点部３０４４より手前側において上方に向けて略９０度の角度をもって突設された押圧部３０４６とを有する。そして、移動リング体３００は、押圧部３０４６の下方に形成された係合部３０４６ａにより静止リング体２００の第１ベース体２００２の手前側端縁に形成された係合部２０４２に係合する。
静止リング体２００の係合部２０４２は、第１ベース体２００２の摺動面２００６の手前側において、幅方向にのびる断面略三角形状の凸条で構成されており、凸条は手前側が摺動面２００６より垂直に立ち上がる垂直壁であり、向こう側が手前側の垂直壁に続いて向こう側に行くに従って下がる傾斜壁である。
【００６５】
押圧部３０４６は、その向こう側に穴部３０４６ｂが穿設され、穴部３０４６ｂは、第２ベース体３００２の上面から下面に亘って連続して形成され、押圧部３０４６を撓ませ易くしている。
支点部３０４４は、最も手前側の第２突条３０７２より更に手前側から、最も手前側のガイド溝３０１４に沿って斜めにのびる領域をもって構成され、押圧部３０４６は、該支点部３０４４を中心として向こう側に撓む。
静止リング体２００は、長さ方向の手前側に、静止リング体２００に係止された移動リング体３００を脱係させるための操作部を構成する引掛部２０４０を形成されている。
引掛部２０４０は、静止リング体２００の第１ベース体２００２の手前側端において、上方に向けて突設された薄板状体をもって形成されている。
【００６６】
押動部３０４０は、押圧部３０４６の手前側の面を押せば、支点部３０４４を中心にして、特に第２ベース体３００２との境界部からやや向こう側の領域を支点として内方に撓み、第１ベース体２００２の係合部２０４２との係合を外れ、移動リング体３００を斜め前方に向けて押すことができる（図８８参照）。
而して、操作部を操作して、静止リング体２００に係止された移動リング体３００を脱係させるときは、例えば、図９７において示すように、操作者の右手の親指を押圧部３０４６に添えるとともに人差指を引掛部２０４０に添えて操作部を摘み、親指と人差指で押圧部３０４６と引掛部２０４０とを捻ることにより、移動リング体３００を静止リング体２００に対して相対運動、すなわち相対的位置を変化させることができる。
なお、この実施の形態においては、押動部３０４０の押圧部３０４６の周囲には、前記実施の形態と異なり、覆い部が形成されていないが、押圧部３０４６に不用意に力が加わらないように、正面視アーチ形の覆い部が形成されていてもよい。例えば、引掛部２０４０から押圧部３０４６の上方に正面視アーチ形の覆い部が連設されてもよい。
【００６７】
移動リング体３００の第２ベース体３００２が静止リング体２００の第１ベース体２００２に重ね合わされて第１リング部２００４と第２リング部３００４とが閉じた状態にある綴じ具１１０は、次のようにして、第１リング部２００４と第２リング部３００４とを開くことができる。
まず、綴じ具１１０の手前側の押動部３０４０の押圧部３０４６を押すと、図８８において示すように、押動部３０４０の押圧部３０４６の下部の係合部３０４６ａにおいて第１ベース体２００２の手前側端と係合していた押圧部３０４６の係合部３０４６ａが外れ、更に、押動部３０４０を第１ベース体２００２の長さ方向に押すと、図８９及び９０において示すように、移動リング体３００が第２ベース体３００２の長さ方向と平行に、すなわち、押動部３０４０の押す方向と同じ方向に初期移動する。すなわち、第１ガイド溝３０１６に沿って、移動リング体３００は、初期移動する。
更に、押動部３０４０を押すと、図９１及び９２において示すように、移動リング体３００は、第２ガイド溝３０１８に沿って静止リング体２００の摺動面２００６の面上を摺動して、第２ベース体３００２の長さ方向と交差する方向に斜行する。
そして、第１移動静止部２０３２の作用により、移動リング体３００は、静止リング体２００のＡ面側端縁２００８より側方にはみ出した位置で停止し、第１リング部２００４と第２リング部３００４とは開く。
ここで、多数の綴じ穴が穿設された被綴じ物Ｓを、第１リング部２００４に綴じ込む。
【００６８】
次に、第１リング部２００４と第２リング部３００４とを閉じる方法について説明する。
移動リング体３００は、例えば第２リング部３００４の押圧部３０４６を手前側に引かれることにより、第２ガイド溝３０１８に沿って、静止リング体２００の摺動面２００６の面上を摺動して、第２ベース体３００２の長さ方向と交差する方向に斜行する。
更に、移動リング体３００は、手前側に引かれることにより、第１リング部２００４と第２リング部３００４とを開くときの初期移動とは反対方向に、第２ベース体３００２の長さ方向と平行に移動する。
更に、移動リング体３００は、手前側に引かれると、第２移動静止部２０３４及び第４移動静止部２０３８の作用により、静止リング体２００の第１ベース体２００２の面上に移動リング体３００の第２ベース体３００２が重ね合わされた状態で停止し、固定される。このとき、第１ベース体２００２の第１嵌合部２０３０は、第２ベース体３００２の第２嵌合部３０３０と嵌合する。
第１リング部２００４は、綴杆係合部において第２リング部３００４と係合されて、第２リング部３００４と環状に連結される。
而して、第２移動静止部２０３４、第４移動静止部２０３８及び綴杆係合部の作用により、綴じ具１１０は、水平方向及び垂直方向への移動を規制され、不用意に第１リング部２００４と第２リング部３００４とが開くことはない。
【図面の簡単な説明】
【００６９】
【図１】この発明の一実施の形態であるファイルの斜視図解図である。
【図２】この発明に係る綴じ具の一例を示す斜視図解図である。
【図３】図２図示綴じ具の移動リング体を開いた状態を示す斜視図解図である。
【図４】図２に示す綴じ具の静止リング体の斜視図解図である。
【図５】図２に示す綴じ具の静止リング体の平面図解図である。
【図６】図２に示す綴じ具の静止リング体の背面図解図である。
【図７】図２に示す綴じ具の静止リング体の側面図解図である。
【図８】図５図示Ａ方向矢視図解図である。
【図９】図５図示Ｂ−Ｂ断面図解図である。
【図１０】図５図示Ｃ−Ｃ断面図解図である。
【図１１】図５図示Ｄ−Ｄ断面図解図である。
【図１２】図５図示Ｅ−Ｅ断面図解図である。
【図１３】図５図示Ｆ−Ｆ断面図解図である。
【図１４】図２に示す綴じ具の移動リング体の斜視図解図である。
【図１５】図２に示す綴じ具の移動リング体の平面図解図である。
【図１６】図２に示す綴じ具の移動リング体の背面図解図である。
【図１７】図２に示す綴じ具の移動リング体の側面図解図である。
【図１８】図１５図示Ａ方向矢視図解図である。
【図１９】図１５図示Ｂ−Ｂ断面図解図である。
【図２０】図１５図示Ｃ−Ｃ断面図解図である。
【図２１】図１５図示Ｄ−Ｄ断面図解図である。
【図２２】図１５図示Ｅ−Ｅ断面図解図である。
【図２３】図２に示す綴じ具の第１リング部の斜視図解図である。
【図２４】第１リング部の平面図解図である。
【図２５】図２４図示Ａ方向矢視図解図である。
【図２６】図２４図示Ｂ方向矢視図解図である。
【図２７】図２４図示Ｃ方向矢視図解図である。
【図２８】図２に示す綴じ具の第２リング部の斜視図解図である。
【図２９】第２リング部の平面図解図である。
【図３０】図２９図示Ａ方向矢視図解図である。
【図３１】（Ａ）は、図２９図示Ｂ方向矢視図解図であり、（Ｂ）は、図２９図示Ｂ方向断面図解図である。
【図３２】図２９図示Ｃ方向矢視図解図である。
【図３３】移動リング体を静止リング体に固定したときにおける綴じ具の平面図解図である。
【図３４】移動リング体を静止リング体に固定したときにおける綴じ具の正面図解図である。
【図３５】移動リング体を静止リング体に固定したときにおける綴じ具の横断面図解図である。
【図３６】図３３図示Ａ−Ａ断面図解図である。
【図３７】図３３図示Ｂ−Ｂ断面図解図である。
【図３８】図３３図示Ｃ−Ｃ断面図解図である。
【図３９】図３３図示Ｅ−Ｅ断面図解図である。
【図４０】レバー部の作動を示す断面図解図である。
【図４１】移動リング体をスライドして開き始めたときにおける綴じ具の平面図解図である。
【図４２】移動リング体をスライドして開き始めたときにおける綴じ具の横断面図解図である。
【図４３】移動リング体をスライドして開いたときにおける綴じ具の平面図解図である。
【図４４】移動リング体をスライドして開いたときにおける綴じ具の底面図解図である。
【図４５】移動リング体をスライドして開いたときにおける綴じ具の正面図解図である。
【図４６】図４３図示Ａ−Ａ断面図解図である。
【図４７】図４３図示Ｂ−Ｂ断面図解図である。
【図４８】移動リング体をスライドして開いたときにおける綴じ具の横断面図解図である。
【図４９】この発明の一実施の形態であるファイルの斜視図解図である。
【図５０】この発明に係る綴じ具の一例を示す斜視図解図である。
【図５１】図５０図示綴じ具の移動リング体を開いた状態を示す斜視図解図である。
【図５２】図５０に示す綴じ具の静止リング体の斜視図解図である。
【図５３】図５０に示す綴じ具の静止リング体の平面図解図である。
【図５４】図５０に示す綴じ具の静止リング体の背面図解図である。
【図５５】図５０に示す綴じ具の静止リング体の側面図解図である。
【図５６】図５３図示Ａ方向矢視図解図である。
【図５７】図５３図示Ｂ−Ｂ断面図解図である。
【図５８】図５３図示Ｃ−Ｃ断面図解図である。
【図５９】図５３図示Ｄ−Ｄ断面図解図である。
【図６０】図５３図示Ｅ−Ｅ断面図解図である。
【図６１】図５３図示Ｆ−Ｆ断面図解図である。
【図６２】図５０に示す綴じ具の移動リング体の斜視図解図である。
【図６３】図５０に示す綴じ具の移動リング体の平面図解図である。
【図６４】図５０に示す綴じ具の移動リング体の背面図解図である。
【図６５】図５０に示す綴じ具の移動リング体の側面図解図である。
【図６６】図６３図示Ａ方向矢視図解図である。
【図６７】図６３図示Ｂ−Ｂ断面図解図である。
【図６８】図６３図示Ｃ−Ｃ断面図解図である。
【図６９】図６３図示Ｄ−Ｄ断面図解図である。
【図７０】図６３図示Ｅ−Ｅ断面図解図である。
【図７１】図５０に示す綴じ具の第１リング部の斜視図解図である。
【図７２】第１リング部の平面図解図である。
【図７３】図７２図示Ａ方向矢視図解図である。
【図７４】図７２図示Ｂ方向矢視図解図である。
【図７５】図７２図示Ｃ方向矢視図解図である。
【図７６】図５０に示す綴じ具の第２リング部の斜視図解図である。
【図７７】第２リング部の平面図解図である。
【図７８】図７７図示Ａ方向矢視図解図である。
【図７９】（Ａ）は、図７７図示Ｂ方向矢視図解図であり、（Ｂ）は、図７７図示Ｂ方向断面図解図である。
【図８０】図７７図示Ｃ方向矢視図解図である。
【図８１】移動リング体を静止リング体に固定したときにおける綴じ具の平面図解図である。
【図８２】移動リング体を静止リング体に固定したときにおける綴じ具の正面図解図である。
【図８３】移動リング体を静止リング体に固定したときにおける綴じ具の横断面図解図である。
【図８４】図８１図示Ａ−Ａ断面図解図である。
【図８５】図８１図示Ｂ−Ｂ断面図解図である。
【図８６】図８１図示Ｃ−Ｃ断面図解図である。
【図８７】図８１図示Ｅ−Ｅ断面図解図である。
【図８８】レバー部の作動を示す断面図解図である。
【図８９】移動リング体をスライドして開き始めたときにおける綴じ具の平面図解図である。
【図９０】移動リング体をスライドして開き始めたときにおける綴じ具の横断面図解図である。
【図９１】移動リング体をスライドして開いたときにおける綴じ具の平面図解図である。
【図９２】移動リング体をスライドして開いたときにおける綴じ具の底面図解図である。
【図９３】移動リング体をスライドして開いたときにおける綴じ具の正面図解図である。
【図９４】図９１図示Ａ−Ａ断面図解図である。
【図９５】図９１図示Ｂ−Ｂ断面図解図である。
【図９６】移動リング体をスライドして開いたときにおける綴じ具の横断面図解図である。
【図９７】移動リング体を脱係させる操作部の操作の一方法を示す斜視図解図であり、（Ａ）は操作し始めた状態を示す図であり、（Ｂ）は捻った状態を示す図である。
【図９８】綴じ具及びファイルの各部の方向性を示す図解図である。
【符号の説明】
【００７０】
１０，１１０  綴じ具
１２，１１２  ファイル
１４，１１４  表紙
１４ａ，１１４ａ  背表紙
１４ｂ，１１４ｂ  表表紙
１４ｃ，１１４ｃ  裏表紙
１４ａ１，１１４ａ１  貫通孔
２０，２００  静止リング体
２０２，２００２  第１ベース体
２０２ａ，２００２ａ  中空状取付部
２０２ｂ，２００２ｂ  取付孔
２０４，２００４  第１リング部
２０６，２００６  摺動面
２０８，２００８  Ａ面側端縁
２１０，２０１０  Ｂ面側端縁
２１２，２０１２  第１係合部
２１４，２０１４  案内凸部
２１６，２０１６  頭部
２１８，２０１８  括れ部
２２０，２０２０  第１摺動部
２２２，２０２２  第２摺動部
２２４，２０２４  第３摺動部
２３０，２０３０  第１嵌合部
２３２，２０３２  第１移動静止部
２３４，２０３４  第２移動静止部
２３６，２０３６  第３移動静止部
２３８，２０３８  第４移動静止部
２０４０  引掛部
２０４２  係合部
２５０，２０５０  第１の半割杆
２５２，２０５２  凸部
２５４，２０５４  凹部
２５６，２０５６  傾斜対向面
２５８，２０５８  傾斜対向面
２６０，２０６０  上下規制凹部
２７０，２０７０  第１突条
２７２，２０７２  凹条
３０，３００  移動リング体
３０２，３００２  第２ベース体
３０４，３００４  第２リング部
３０６，３００６  摺動面
３０８，３００８  Ａ面側端縁
３１０，３０１０  Ｂ面側端縁
３１２，３０１２  第２係合部
３１４，３０１４  ガイド溝
３１６，３０１６  第１ガイド溝
３１８，３０１８  第２ガイド溝
３２０，３０２０  第１ガイド線条壁
３２２，２０２２  第２ガイド線条壁
３２４，３０２４  第３ガイド線条壁
３２６，３０２６  第４ガイド線条壁
３３０，３０３０  第２嵌合部
３４０  レバー部
３０４０  押動部
３４２  細溝
３４４，３０４４  支点部
３４６，３０４６  押圧部
３４６ａ，３０４６ａ  係合部
３０４６ｂ  穴部
３４８  覆い部
３５０，３０５０  第２の半割杆
３５２，３０５２  凸部
３５４，３０５４  凹部
３５６，３０５６  傾斜対向面
３５８，３０５８  傾斜対向面
３６０，３０６０  上下動規制凸部
３７０，３０７０  ガイド突条
３７２，３０７２  第２突条
３７４，３０７４  嵌合孔部
３８０，３０８０  第１突部
３８２，３０８２  第２突部
Ｓ  被綴じ物
【図１】
0004759024.tif 000002
【図２】
0004759024.tif 000003
【図３】
0004759024.tif 000004
【図４】
0004759024.tif 000005
【図５】
0004759024.tif 000006
【図６】
0004759024.tif 000007
【図７】
0004759024.tif 000008
【図８】
0004759024.tif 000009
【図９】
0004759024.tif 000010
【図１０】
0004759024.tif 000011
【図１１】
0004759024.tif 000012
【図１２】
0004759024.tif 000013
【図１３】
0004759024.tif 000014
【図１４】
0004759024.tif 000015
【図１５】
0004759024.tif 000016
【図１６】
0004759024.tif 000017
【図１７】
0004759024.tif 000018
【図１８】
0004759024.tif 000019
【図１９】
0004759024.tif 000020
【図２０】
0004759024.tif 000021
【図２１】
0004759024.tif 000022
【図２２】
0004759024.tif 000023
【図２３】
0004759024.tif 000024
【図２４】
0004759024.tif 000025
【図２５】
0004759024.tif 000026
【図２６】
0004759024.tif 000027
【図２７】
0004759024.tif 000028
【図２８】
0004759024.tif 000029
【図２９】
0004759024.tif 000030
【図３０】
0004759024.tif 000031
【図３１】
0004759024.tif 000032
【図３２】
0004759024.tif 000033
【図３３】
0004759024.tif 000034
【図３４】
0004759024.tif 000035
【図３５】
0004759024.tif 000036
【図３６】
0004759024.tif 000037
【図３７】
0004759024.tif 000038
【図３８】
0004759024.tif 000039
【図３９】
0004759024.tif 000040
【図４０】
0004759024.tif 000041
【図４１】
0004759024.tif 000042
【図４２】
0004759024.tif 000043
【図４３】
0004759024.tif 000044
【図４４】
0004759024.tif 000045
【図４５】
0004759024.tif 000046
【図４６】
0004759024.tif 000047
【図４７】
0004759024.tif 000048
【図４８】
0004759024.tif 000049
【図４９】
0004759024.tif 000050
【図５０】
0004759024.tif 000051
【図５１】
0004759024.tif 000052
【図５２】
0004759024.tif 000053
【図５３】
0004759024.tif 000054
【図５４】
0004759024.tif 000055
【図５５】
0004759024.tif 000056
【図５６】
0004759024.tif 000057
【図５７】
0004759024.tif 000058
【図５８】
0004759024.tif 000059
【図５９】
0004759024.tif 000060
【図６０】
0004759024.tif 000061
【図６１】
0004759024.tif 000062
【図６２】
0004759024.tif 000063
【図６３】
0004759024.tif 000064
【図６４】
0004759024.tif 000065
【図６５】
0004759024.tif 000066
【図６６】
0004759024.tif 000067
【図６７】
0004759024.tif 000068
【図６８】
0004759024.tif 000069
【図６９】
0004759024.tif 000070
【図７０】
0004759024.tif 000071
【図７１】
0004759024.tif 000072
【図７２】
0004759024.tif 000073
【図７３】
0004759024.tif 000074
【図７４】
0004759024.tif 000075
【図７５】
0004759024.tif 000076
【図７６】
0004759024.tif 000077
【図７７】
0004759024.tif 000078
【図７８】
0004759024.tif 000079
【図７９】
0004759024.tif 000080
【図８０】
0004759024.tif 000081
【図８１】
0004759024.tif 000082
【図８２】
0004759024.tif 000083
【図８３】
0004759024.tif 000084
【図８４】
0004759024.tif 000085
【図８５】
0004759024.tif 000086
【図８６】
0004759024.tif 000087
【図８７】
0004759024.tif 000088
【図８８】
0004759024.tif 000089
【図８９】
0004759024.tif 000090
【図９０】
0004759024.tif 000091
【図９１】
0004759024.tif 000092
【図９２】
0004759024.tif 000093
【図９３】
0004759024.tif 000094
【図９４】
0004759024.tif 000095
【図９５】
0004759024.tif 000096
【図９６】
0004759024.tif 000097
【図９７】
0004759024.tif 000098
【図９８】
0004759024.tif 000099